(57)【特許請求の範囲】
【請求項１】
板金材により箱状体に形成された本体ケースが、少なくともベースプレートと、このベースプレートの両側に立設された内側板とを有するとともに、両内側板内には機器が設けられ、さらに、少なくとも一方の内側板とこの内側板に対して外方から着脱自在に設けられる外側板との間に形成されるスペース、前記ベースプレートとこのベースプレートの底面に外方から着脱自在に設けられる底板との間に形成されるスペースのうち少なくともいずれか一つのスペースを配線および／または配管収納用としてあることを特徴とする分析・計測装置の配線・配管構造。
【請求項２】
内部のスペースに配線および／または配管を収納し、その接続端にコネクタを設けてなる箱状のカートリッジを、機器が内蔵されている本体ケースに着脱自在に装着できるようにすると共に、前記カートリッジに設けたコネクタを前記本体ケースに設けたコネクタに対して着脱自在に接続させるように構成してなることを特徴とする分析・計測装置の配線・配管構造。
【発明の詳細な説明】
【０００１】
【発明の属する技術分野】
本発明は各種分析装置や計測装置における内部の配線や配管を容易とするための構造に関する。
【０００２】
【従来の技術】
電気・電子計測装置には、一般に、ハーネス化された配線やサンプリング用配管、操作用配管等が複雑に施されているものが多い。そのため、例えば図７に示すように、本体ケース（図示省略）内に設けた機器ａ，ｂ，ｃ，ｄの隙間や空間を利用して配線ｅ，ｆ，…や配管ｇ，ｈ，…を引きまわしていた。また、分析値や測定値に影響するノイズの発生を抑制するために主要な配線にはシールドテープｉが巻装されることもあった。なお、図中、符号ｊはベースプレート、ｋはそのベースプレートｊに立設されたフレームで、そのフレームｋに本体ケース（図示省略）が被着される。
【０００３】
【発明が解決しようとする課題】
しかるに、上述した従来の電気・電子計測装置では、コンパクト化等により内部空間が著しく狭くなっているため、密集した機器のレイアウトに影響されて配線や配管が複雑になり、破損したり、潰れることもあった。
【０００４】
また、専用ハーネス化するための手間とコストがかかり、組付作業にも時間がかかるという難点があった。特に、配線や配管を複雑に引きまわす場合には仕付け作業が大変面倒なものとなり、また、ノイズの発生防止のためのシールドテープｉの巻き付け作業も煩瑣であった。そして、メンテナンス作業も手間取ることが多かった。
【０００５】
本発明はこのような実情に鑑みてなされ、配線や配管の組付作業やメンテナンスを容易化し、かつ、ノイズを低減できる分析・計測装置の配線・配管構造を提供することを目的としている。
【０００６】
【課題を解決するための手段】
本発明は上述の課題を解決するための手段を以下のように構成している。
すなわち、請求項１に記載の発明では、板金材により箱状体に形成された本体ケースが、少なくともベースプレートと、このベースプレートの両側に立設された内側板とを有するとともに、両内側板内には機器が設けられ、さらに、少なくとも一方の内側板とこの内側板に対して外方から着脱自在に設けられる外側板との間に形成されるスペース、前記ベースプレートとこのベースプレートの底面に外方から着脱自在に設けられる底板との間に形成されるスペースのうち少なくともいずれか一つのスペースを配線および／または配管収納用としてあることを特徴としている。
【０００７】
請求項２に記載の発明では、内部のスペースに配線および／または配管を収納し、その接続端にコネクタを設けてなる箱状のカートリッジを、機器が内蔵されている本体ケースに着脱自在に装着できるようにすると共に、前記カートリッジに設けたコネクタを前記本体ケースに設けたコネクタに対して着脱自在に接続させるように構成してなることを特徴としている。
【０００８】
【発明の実施の形態】
以下に本発明の分析・計測装置の配線・配管構造の好ましい実施形態を図面に基づいて詳細に説明する。
図１〜図３は分析装置の本体ケースの側部と底部を二重構造とした場合の一実施例を示し、１は本体ケース、２はベースプレート、２１はベースプレート２に取り付けられたゴム足、３，４はベースプレート２の両側に立設された内側板、５は後側板、６はフレームで上部フレーム６１と前部フレーム６２，６２よりなる。
【０００９】
７は前部フレーム６２にビス止め等によって組み付けられる前側板、８，９は内側板３，４に対して外方からビス止め等によって組み付けられ、上部フレーム６１上で上端縁が互いに嵌合し合う外側板であり、内側板３，４との間に配線・配管用のスペース１０，１１が形成される。１２はベースプレート２の底面にビス止めｒ等によって組み付けられる底板であり、ベースプレート２との間に配線・配管収納用のスペース１３が形成される。ｗは配線、ｐは配管、１４は継電器、１５〜１９はベースプレート２や内側板３，４に組み付けられた機器である。
【００１０】
前記ベースプレート２および内側板３，４には、それぞれ配線・配管用の開孔２２〜２５，３１〜３４，４１〜４５が開設され、内部から配線ｗや配管ｐを各スペース１０，１１，１３内にまとめて導き込むことができるようにしている。また、外側板８には、ビス等によって着脱自在な蓋体８１で覆われる点検用の開口８２が形成され、メンテナンス作業の容易化を図っている。なお、他方の外側板９にも同様の蓋体９１（図示省略）が設けられている。
【００１１】
また、底板１２には、ハウリングを防止するためのシールドフィンガｓを取り付けるのが好ましい（図４（Ａ），（Ｂ）参照）。図４（Ａ）に示すものは、弾力性のある板金材よりなり、その基部ｓ1 をリベットまたは接着剤等で底板１２の内面に固定してその先端の湾曲部ｓ2 をベースプレート２の底面に付勢当接させるように構成している。図４（Ｂ）に示すものは、弾力性のある一対の合成ゴムｓ3,ｓ3 を金属リブｓ4,ｓ4 で連結し、マジックテープｓ5 で一方の合成ゴムｓ3 をベースプレート２の底面に接着させ、他方の合成ゴムｓ3 を底板１２の内面に付勢当接させるように構成している。
【００１２】
上述のように構成される本体ケース１は、特に、配線・配管用として３つのスペース１０，１１，１３を設けたことによって、まず、各スペース１０，１１，１３内に配線ｗを導入することで、別途、ハーネス化する必要がなくなり、また、特に仕付けに手間取ることがなくなる。これらの各スペースは予め用意されており、前もって配線ｗや配管ｐを施工することも可能となり、混線や同居を嫌うもの同士を避けることも容易であり、また、特に、配線ｗについては長さを比較的粗く設定して処理することが可能となり、配線・配管作業がきわめて容易となる。
【００１３】
また、機器１５〜１９のレイアウトの自由度が向上し、まとまりのよい配置が可能となり、機器１５〜１９と配線ｗ・配管ｐの無理な同居による断線、破損等のトラブルの発生を回避することができ、かつ、整然とした混乱のない内部構造を形成することができる。また、底板１２はゴム足２１の高さ内で設けることができ、底部スペース１３の有効利用を図ることができ、コンパクト化が可能となる。
【００１４】
そして、各二重構造によって、ノイズの原因となる妨害要素の外部からの侵入と、外部への妨害要素の漏出が効果的に防がれ、面倒なシールドテープの巻き付け作業を要することなく、分析値や計測値の信頼性を向上させることができる。また、各スペース１０，１１，１３内でＡＣ用の配線ｗとＤＣ用の配線ｗとを分離することによって、ＡＣ用配線ｗからのノイズ影響を少なくすることができる。
【００１５】
また、周囲条件として振動や音響のある場合においても、各二重構造によってこれらを効果的に吸収することができ、ハウリングを防止することができる。そのハウリングの防止については前述したシールドフィンガーｓを併用するのが効果的である（図４参照）。なお、シールドフィンガーｓはベースプレート２と底板１２との間に限らず、内側板３，４と外側板８，９との間に設けてもよいのはいうまでもない。
【００１６】
一方、メンテナンス時には、外側板８，９の蓋体８１，９１を取り外すことにより、または、本体ケース１を横倒しにして底板１２を取り外すこと等により、きわめて容易かつ確実に配線ｗ・配管ｐの点検をおこなうことができる。また、これらの取り替えを要する場合にも機器１５〜１９に干渉されることなく、きわめて容易に取替作業をおこなうことができる。
【００１７】
図５（Ａ），（Ｂ）はケース本体１の底部のみを二重構造にした異なる実施形態を示し、この場合、ビス止めｒ等によってベースプレート２に取り付けられる底板１２の四隅にゴム足２１を貫通させるための足孔１２１を設け、底部スペースの有効利用を図ることによって、より一層のコンパクト化を図っている。ケース本体１が比較的小さな場合には、このように底部の二重構造のみで充分対処することができる。
【００１８】
図６（Ａ），（Ｂ）は別の実施形態を示し、この場合、本体ケース１の底部に、配線・配管用のカートリッジ１２０を着脱自在に設けている。そのカートリッッジ１２０は、内部のスペース１３０に配線ｗを収納し、その接続端にコネクタ１２１〜１２５を設けたものであり、その各コネクタ１２１〜１２５を本体ケース１のベースプレート２の底面に設けた各コネクタ２２１〜２２５に接続して四隅をビスｒでベースプレート２に止着することによって本体ケース１と一体化できるようにしたものであり、メンテナンス時等にはビスｒを取り外すことによってそのカートリッジ１２０を容易に取り外すことができ、トラブルが発生した時には、そのカートリッジ１２０の交換によりメンテナンスを容易におこなうことができる。なお、このカートリッジ１２０は底部に限らず、本体ケース１の側部（内側板等）に取り付けるようにしてもよいのはいうまでもない。
【００１９】
【発明の効果】
以上説明したように、本発明の分析・計測装置の配線・配管構造によれば、板金材により箱状体に形成された本体ケースが、少なくともベースプレートと、このベースプレートの両側に立設された内側板とを有するとともに、両内側板内には機器が設けられ、さらに、少なくとも一方の内側板とこの内側板に対して外方から着脱自在に設けられる外側板との間に形成されるスペース、前記ベースプレートとこのベースプレートの底面に外方から着脱自在に設けられる底板との間に形成されるスペースのうち少なくともいずれか一つのスペースを配線および／または配管収納用としてあるので、配線の系統的な長さを粗く設定することができ、見積違いによるトラブルの発生を少なくして、配線施工が容易となる。また、配線・配管を前もって施工することもでき、作業を容易化でき、機器や構造物との不整合な同居を回避することができ、配線・配管の構成がスッキリとして整然としたものにまとめることができ、メンテナンスも容易となる。
【００２０】
そして、本体ケースのベースプレートの両側に立設された内側板内に機器を設けるとともに、内側板と外側板との間に形成されるスペース、ベースプレートと底板との間に形成されるスペースに配線および／または配管を収納することによって、ノイズの発生源となる電気的な妨害要素の内部への侵入と外部への漏出を効果的に防ぐことができ、ＡＣ用、ＤＣ用に配線を分けることも容易となり、ＡＣ用配線からのノイズ影響を少なくすることもでき、Ｓ／Ｎを向上させ信頼性の高い分析・計測値を得ることができる。
【００２１】
また、内部のスペースに配線および／または配管を収納し、その接続端にコネクタを設けてなる箱状のカートリッジを、機器が内蔵されている本体ケースに着脱自在に装着できるようにすると共に、前記カートリッジに設けたコネクタを前記本体ケースに設けたコネクタに対して着脱自在に接続させるように構成すると、多成分計の場合、成分数に応じた配線ユニットを製作することによって多様化に対応でき、かつ、生産工程の効率化を図ることも可能となる。また、カートリッジの交換によりメンテナンスをより一層容易化することもできる。
【図面の簡単な説明】
【図１】  本発明の分析・計測装置の配線・配管構造の一実施形態を示す分析装置の分解組付斜視図である。
【図２】  前記分析・計測装置の組付状態における装着の縦断面図である。
【図３】  前記分析・計測装置の部分拡大斜視断面図である。
【図４】  （Ａ），（Ｂ）は前記分析・計測装置で用いるシールドフィンガーの取付説明図である。
【図５】  （Ａ）は異なる実施形態を示す分析・計測装置の斜視説明図、（Ｂ）は要部縦断面図である。
【図６】  （Ａ）は別の実施形態を示す分析・計測装置の斜視説明図、（Ｂ）は要部縦断面図である。
【図７】  従来の分析・計測装置の配線・配管構造の一例を示す斜視図である。
【符号の説明】
１…本体ケース、２…ベースプレート、３，４…内側板、８，９…外側板、１０，１１，１３…スペース、１２…底板、１５〜１９…機器、  ｗ…配線、ｐ…配管、１２０…カートリッジ、１２１〜１２５，２２１〜２２５…コネクタ。
【図１】
0003723672.tif 000002
【図２】
0003723672.tif 000003
【図３】
0003723672.tif 000004
【図４】
0003723672.tif 000005
【図５】
0003723672.tif 000006
【図６】
0003723672.tif 000007
【図７】
0003723672.tif 000008